【手続補正書】
【提出日】平成19年6月6日(2007.6.6)
【手続補正１】
【補正対象書類名】特許請求の範囲
【補正対象項目名】全文
【補正方法】変更
【補正の内容】
【特許請求の範囲】
【請求項１】
窓組立体が、
窓用フレームと、
該フレームに結合されていて該フレームを越えて延びる第一の透明窓用プライと、
該第一のプライに結合された第二の透明窓用プライとを含み、該第二のプライは第一の表面とは反対側の第二の表面を有しており、前記第一の表面は前記第一のプライに対面しており、前記第二のプライは前記フレームを越えて延びていて前記フレームから離間しており、
さらに、
前記フレームと前記第一のプライとの間に挟まれていて前記フレームを越えて前記第二のプライの前記第二の表面上に延びる複合封止装置を含み、該複合封止装置は、
第一の封止部材と、
前記第一の封止部材に結合された第二の部材とを具備し、該第二の部材は前記第一の封止部材よりも堅固であり、前記第二の部材は前記フレームと前記第一の封止部材との間に挟まれていて前記フレームを越えて前記第一の封止部材上に延びる窓組立体。
【請求項２】
前記第一の封止部材が前記第二の部材に結合されている請求項１に記載の窓組立体。
【請求項３】
前記第一のプライが前記フレームに固定されており、該フレームに固定されるときに、前記フレームは前記第二の部材に圧力を掛け、前記第二の部材は前記第二のプライ上に延びる前記第一の封止部材に圧力を掛け、それにより、前記第一の封止部材が前記第二のプライ上において圧縮されるようにした請求項１または２に記載の窓組立体。
【請求項４】
前記フレームに結合されるときに、前記フレームは前記第二の部材に圧力を掛け、前記第二の部材は前記第二のプライ上に延びる前記第一の封止部材に圧力を掛け、それにより、前記第一の封止部材が前記第二のプライ上において圧縮されるようにした請求項１または２に記載の窓組立体。
【請求項５】
前記複合封止装置が延びている前記フレームの端部分が前記第一のプライから離間するよう湾曲している請求項１から４のいずれかに記載の窓組立体。
【請求項６】
前記複合封止装置の前記第二の部材が繊維状複合材料である請求項１から５のいずれかに記載の窓組立体。
【請求項７】
前記第二の部材が金属を含む請求項１から５のいずれかに記載の窓組立体。
【請求項８】
前記第二のプライ上に延びる前記複合封止装置の前記第一の封止部材がバルブ部分を具備し、前記第一のプライが前記フレームに結合されるときに前記バルブ部分は前記第二のプライに押し当たって圧縮される請求項１から７のいずれかに記載の窓組立体。
【請求項９】
前記複合封止装置の前記第一の封止部材が前記第二の部材を越えて延びていて前記フレームと前記第一のプライとの間に挟まれる一部分を具備する請求項１から８のいずれかに載の窓組立体。
【請求項１０】
前記複合封止装置の前記第一の封止部材が具備していて前記第二の部材を越えて延びると共に前記フレームと前記第一のプライとの間に挟まれている前記一部分が、前記第一の封止部材の前記一部分の両面から延びるニブを具備しており、前記フレームが前記第一のプライに結合されるときに、前記第一の封止部材の前記一部分の一方の表面から延びるニブが前記フレームに押し当たって圧縮され、前記第一の封止部材の前記一部分の反対側の面から延びるニブが前記第一のプライに押し当たって圧縮される請求項９に記載の窓組立体。
【請求項１１】
前記複合封止装置の前記第一の封止部材が隆起部を具備し、該隆起部が前記第二のプライの縁部と前記第一のプライと前記フレームとの間に挟まれるようにした請求項１から１０のいずれかに記載の窓組立体。
【請求項１２】
前記複合封止装置は、該複合封止装置が延びている前記第二のプライの一部分が前記第一のプライに対して剥離するのを妨げる請求項１から１１のいずれかに記載の窓組立体。
【請求項１３】
前記第一の封止部材が第一部分を具備し、該第一部分は前記第二の部材に取付けられており、前記第一部材は前記第一部分から横方向に延びる第二部分を具備する請求項１から１２のいずれかに記載の窓組立体。
【請求項１４】
前記第一の封止部材が弾性材料である請求項１から１３のいずれかに記載の窓組立体。
【請求項１５】
窓組立体が、
窓用フレームと、
該フレームに結合された透明窓とを具備し、該透明窓は内面とは反対側の外面を有しており、
さらに、
前記フレームと前記透明窓との間に挟まれていて前記透明窓の前記外面上に延びる複合封止装置を具備し、該複合封止装置は、
第一の封止部材と、
前記第一の封止部材に結合された第二の部材とを具備し、
前記第二の部材は前記第一の封止部材よりも堅固であり、前記第二の部材は、前記第二の部材上の第一の位置において掛けられる力を、前記第一の位置から離間した前記第一の封止部材上の第二の位置まで荷重作用方向に対して横方向の方向に沿って伝達するのに十分な剛性を有している窓組立体。
【請求項１６】
窓組立体が、
窓用フレームと、
該フレームに結合されていて該フレームを越えて延びる第一の透明窓用プライと、
該第一のプライに結合された第二の透明窓用プライとを含み、該第二のプライは前記フレームを越えて延びていて前記フレームから離間しており、
さらに、
前記フレームと前記第一のプライとの間に挟まれていて前記フレームを越えて前記第二のプライ上に延びる複合封止装置を含み、該複合封止装置は、
第一の封止部材と、
前記第一の封止部材に結合された第二の部材とを具備し、該第二の部材は前記第一の封止部材よりも堅固であり、前記第二の部材は前記フレームと前記第一の封止部材との間に挟まれていて前記フレームを越えて前記第一の封止部材上に延びており、前記第二の部材が前記フレームに結合されるときに、前記フレームは前記第二の部材に圧力を掛け、前記第二の部材は、前記第二のプライ上に延びる前記第一の封止部材に圧力を掛け、それにより、前記第一の封止部材が前記第二のプライ上において圧縮されるようになり、前記第二のプライ上に延びる前記複合封止装置の前記第一の封止部材がバルブ部分を具備し、前記第一のプライが前記フレームに結合されるときに前記バルブ部分は前記第二のプライに押し当たって圧縮され、前記複合封止装置の前記第一の封止部材が前記バルブ部分から離間した隆起部を具備し、該隆起部が前記第二のプライの縁部と前記第一のプライと前記フレームとの間に挟まれるようになっており、前記複合封止装置の前記第一の封止部材は前記第二の部材を越えて延びていて前記フレームと前記第一のプライとの間に挟まれる一部分を具備しており、前記第二の部材を越えて延びていて前記フレームと前記第一のプライとの間に挟まれる前記一部分が、前記第一の封止部材の前記一部分の両面から延びるニブを具備しており、前記フレームが前記第一のプライに結合されるときに、前記第一の封止部材の前記一部分の一方の表面から延びるニブが前記フレームに押し当たって圧縮され、前記第一の封止部材の前記一部分の反対側の面から延びるニブが前記第一のプライに押し当たって圧縮される、窓組立体。
【請求項１７】
窓組立体が、
窓用フレームと、
該フレームに結合されていて該フレームを越えて延びる第一の透明窓用プライと、
該第一のプライに結合された第二の透明窓用プライとを含み、該第二のプライは前記フレームを越えて延びていて前記フレームから離間しており、
さらに、
前記フレームと前記第一のプライとの間に挟まれていて前記フレームを越えて前記第二のプライ上に延びる複合封止装置を含み、該複合封止装置は、
第一の封止部材と、
前記第一の封止部材に結合された第二の部材とを具備し、該第二の部材は前記第一の封止部材よりも堅固であり、前記第二の部材は前記フレームと前記第一の封止部材との間に挟まれていて前記フレームを越えて前記第一の封止部材上に延びており、前記第二の部材が前記フレームに結合されるときに、前記フレームは前記第二の部材に圧力を掛け、前記第二の部材は、前記第二のプライ上に延びる前記第一の封止部材に圧力を掛け、それにより、前記第一の封止部材が前記第二のプライ上において圧縮されるようになり、前記複合封止装置の前記第一の封止部材は前記第二の部材を越えて延びていて前記フレームと前記第一のプライとの間に挟まれる一部分を具備しており、前記第二の部材を越えて延びていて前記フレームと前記第一のプライとの間に挟まれる前記一部分が、前記第一の封止部材の前記一部分の両面から延びるニブを具備しており、前記フレームが前記第一のプライに結合されるときに、前記第一の封止部材の前記一部分の一方の表面から延びるニブが前記フレームに押し当たって圧縮され、前記第一の封止部材の前記一部分の反対側の面から延びるニブが前記第一のプライに押し当たって圧縮される、窓組立体。